(57)【特許請求の範囲】
【請求項１】
側面と係止孔を有する端面と前記端面から前記側面と前記端面とが成す筒状の内側に突出して形成された係止板とを有する筒状体であり、この筒状体の外側から前記端面の前記係止孔と前記係止板とに光源と前記光源を配置する平板と前記平板から突出して形成する係止片とを有する光源体の前記係止片を係止する筒状体を備える
ことを特徴とする照明器具。
【請求項２】
前記筒状体は、
前記端面で前記光源体の前記平板に接触し、前記光源で発生した熱を前記光源体の前記平板に接触する前記端面から熱伝導して前記端面と前記側面とから放熱する
ことを特徴とする請求項１記載の照明器具
【請求項３】
前記筒状体は、
前記係止板の第１の端部側に斜め下方に伸びる傾斜部を有して前記光源体の前記係止片を前記係止板に誘導する
ことを特徴とする請求項１〜請求項２いずれかに記載の照明器具。
【請求項４】
前記筒状体は、
前記係止板の第２の端部側に凹部を有して前記光源体の前記係止片を前記係止板に保持する
ことを特徴とする請求項１〜請求項３いずれかに記載の照明器具。
【請求項５】
前記筒状体は、
前記係止板を弾性部材により成形し前記光源体を弾性作用により持ち上げて前記端面に接触させる
ことを特徴とする請求項１〜請求項４いずれかに記載の照明器具。
【請求項６】
前記筒状体は、
前記係止板に一端が開放したスリットを有する
ことを特徴とする請求項１〜請求項５いずれかに記載の照明器具
【請求項７】
前記筒状体は、
前記端面の前記係止孔を大径部と小径部とを有するダルマ状に形成する
ことを特徴とする請求項１〜請求項６いずれかに記載の照明器具。
【請求項８】
前記筒状体は前記係止孔と前記係止板とを前記端面の周方向に配置し、前記光源体が周方向に回転することにより前記光源体の前記係止片が前記端面の前記係止孔と前記係止板とに係止する
ことを特徴とする請求項１〜請求項７いずれかに記載の照明器具。
【請求項９】
前記筒状体は前記係止孔と前記係止板とを前記端面の直線方向に配置し、前記光源体が直線方向に移動することにより前記光源体の前記係止片が前記端面の前記係止孔と前記係止板とに係止する
ことを特徴とする請求項１〜請求項７いずれかに記載の照明器具。
【発明の詳細な説明】
【技術分野】
【０００１】
本発明は、例えば、発光ダイオード（以下、ＬＥＤと記載）に発生した熱を放熱する照明器具に関するものである。
【背景技術】
【０００２】
従来のＬＥＤランプを光源とした照明器具は、ＬＥＤランプの形状が一般照明用白熱電球と類似した形状であるため、ＬＥＤランプ自体に放熱手段を備え照明器具側では放熱対策をとっていなかった。
特許文献１に示されたＬＥＤランプは、複数のＬＥＤを配置するＬＥＤ配置面と、少なくとも複数のＬＥＤを覆うレンズと、電源供給を受ける口金と、発光ダイオード配置面と前記口金との間に配置される放熱部と、回路収納部とを有している。また、前記ＬＥＤ配置面の一方の面に前記複数のＬＥＤを実装し、他方の面を前記放熱部と接するように配置されるＬＥＤ基板を備える。また、前記回路収納部は前記放熱部と前記口金を連結する外装体を有する。そして、ＬＥＤランプはさらに点灯回路基板を備えているものとして開示されている。
この例に示されるように、従来は、ＬＥＤランプ自体に放熱部を形成し、この放熱部から熱を放散させている。
しかし、この放熱対策はＬＥＤランプに放熱手段を持たせているため放熱量に限界がある。
【特許文献１】特開２００５−２８６２６７号公報
【特許文献２】特開２００５−３８７９８号公報
【発明の開示】
【発明が解決しようとする課題】
【０００３】
ＬＥＤランプで発生した熱を効率的にＬＥＤランプ外に放出するためには、ＬＥＤランプ自体の工夫では放熱量に限界がある。すなわち、ＬＥＤランプからの放熱経路はＬＥＤランプの透光性バルブ部分とＬＥＤランプに形成した放熱部とからの「放射熱伝導」と「対流熱伝導」、ＬＥＤランプの構成部材である口金からソケットへの「熱伝導」の３経路が考えられる。つまり、３つ目の放熱経路である「熱伝導」による照明器具への放熱先はソケットのみであり、他に工夫がされていないのが現状である。
そこで、ランプの口金以外への熱伝導が必要になるが、ＬＥＤランプの形状が従来のような一般照明用白熱電球に類似の形状では口金以外への熱伝導による放熱策を考えることは難しい。
また、口金が無いＬＥＤランプの放熱対策として、特許文献２には、平板状のＬＥＤランプをソケットに押圧して行う熱伝導による放熱対策が開示されている。
しかし、この放熱対策は、押圧の手段となる別部品が必要であることなど、コスト面で課題がある。
【０００４】
本発明は、例えば、ＬＥＤランプを照明器具の部品に接触させ、接触部分から照明器具への熱伝導によってＬＥＤランプの熱を放熱させることを目的とし、また、ＬＥＤランプの取り付けを容易にすることを目的とする。
【課題を解決するための手段】
【０００５】
本発明の照明器具は、側面と係止孔を有する端面と前記端面から前記側面と前記端面とが成す筒状の内側に突出して形成された係止板とを有する筒状体であり、この筒状体の外側から前記端面の前記係止孔と前記係止板とに光源と前記光源を配置する平板と前記平板から突出して形成する係止片とを有するランプの前記係止片を係止する筒状体を備えることを特徴とする。
【発明の効果】
【０００６】
本発明によれば、例えば、ＬＥＤランプを筒状体の端面に接触させることにより、ＬＥＤランプで発生した熱を筒状体に熱伝導して端面と側面とから放熱することができる。また、筒状体の係止板にＬＥＤランプの係止片を係止することでＬＥＤランプを筒状体に取り付けることができる。
【発明を実施するための最良の形態】
【０００７】
実施の形態１．
図１は、実施の形態１におけるＬＥＤランプ２００を取り付けた後の照明器具４００の断面図である。
図２は、実施の形態１におけるＬＥＤランプ取付具１００の内部を見せる構成図である。
図３は、実施の形態１における係止板７００の斜視図である。
図４は、実施の形態１におけるＬＥＤランプ２００の斜視図である。
図５は、実施の形態１におけるＬＥＤランプ２００を取り付ける前の照明器具４００の断面図である。
図６は、実施の形態１におけるＬＥＤランプ２００を取り付ける際の照明器具４００の断面図である。
図７は、実施の形態１におけるＬＥＤランプ２００を取り付ける際の係止部分の断面図である。
実施の形態１における照明器具４００について図１〜図７に基づいて以下に説明する。
【０００８】
図１において、照明器具４００はＬＥＤランプ取付具１００（筒状体）、ＬＥＤランプ２００、器具本体３００を備え、器具取り付け板３１０に取り付けられる。
実施の形態１における照明器具４００はＬＥＤランプ取付具１００とＬＥＤランプ２００とを特徴とする。
【０００９】
図２において、ＬＥＤランプ取付具１００（筒状体）は側面部１０１（側面）と平面部１０２（端面）とを有し、一端が開放した中空円筒状を形成する。さらに、ＬＥＤランプ取付具１００は開放端側にフランジ１０４（ツバ）を有してハット形を形成する。
側面部１０１は両端が開放し円筒形、パイプ形を形成する。
平面部１０２は円盤形を形成し、側面部１０１の開放した一端側において側面部１０１の開放端を閉じるように位置する。また、平面部１０２は中央部に透孔１０６を有し、透孔１０６の周囲にだるま孔１０８（係止孔）を複数有する。各だるま孔１０８（係止孔）は大径の孔（大径部）と小径の孔（小径部）とを有してダルマ状の孔を形成する。また、複数のだるま孔１０８は透孔１０６の周囲において円形を形成し、各だるま孔１０８は周方向の同じ向きに大径部と小径部とを位置させる。つまり、隣り合う一方のだるま孔１０８の小径部側に他方のだるま孔１０８の大径部が位置する。さらに、平面部１０２はＺ字形状の係止板７００を内側に突出させて各だるま孔１０８の小径部側に取り付けられる。各係止板７００は一端が開放したスリット７０６を有し、スリット７０６の閉端側をだるま孔１０８の小径部側に位置させ、スリット７０６の開放端側をだるま孔１０８の大径部側に位置させる。
フランジ１０４は平面部１０２が位置しない方で開放した側面部１０１のもう一端側において側面部１０１の外方向に伸長（突出）して位置する。フランジ１０４はリング形、ドーナツ形を形成する。
【００１０】
図３において、係止板７００はＬＥＤランプ２００を係止する係止面７０１と係止面７０１に高さを与える縦面７０４とＬＥＤランプ取付具１００の平面部１０２に結合する結合面７０５とによりＺ字形状、階段状を形成する。
また、係止板７００は係止面７０１において一端が開放したスリット７０６を有すると共に、平面部７０７と、スリット７０６の開放端側（第１の端部側）において斜め下方に伸びる傾斜部７０２と、スリット７０６の閉端側（第２の端部側）において平面部７０７との段差７０８がある凹部７０３とを有する。
【００１１】
図４において、ＬＥＤランプ２００はピン式の口金２０５と基板２０２（平板）とＬＥＤ２０３（光源）とＬＥＤランプ取付具１００の係止板７００に係止する係止片２０８とを有する。
ピン式の口金２０５は基板２０２から突出して形成し、コネクタ３３０（図１参照）に結合してＬＥＤ２０３を電気的に接続する。
基板２０２は円形平板状を形成し、ピン式の口金２０５とＬＥＤ２０３（図１参照）と係止片２０８とを配置する。
ＬＥＤ２０３は基板２０２に複数配置された照明器具４００の光源である。
係止片２０８は基板２０２の周縁においてＬＥＤランプ取付具１００のだるま孔１０８（図２参照）と同じ数だけ存在する。
【００１２】
図５において、器具本体３００は側面部３０１と平面部３０２とを有して、ＬＥＤランプ取付具１００と同様に、円筒状を形成する。さらに、器具本体３００はＬＥＤランプ取付具１００と同様に平面部３０２の中央部に透孔３０４を有し、電気コード３０５に繋がるコネクタ３３０を透孔３０４から外出しする。このコネクタ３３０はＬＥＤランプ２００のピン式の口金２０５と機械的、電気的に接続し、ＬＥＤランプ２００に電力を供給する。また、器具本体３００は平面部３０２が位置しない側において内方向に伸長する取付部３０３を有する。
【００１３】
図５に示すように、器具本体３００は、取付部３０３において天井材などの器具取り付け板３１０に、木ネジや金属ネジなどのネジ３１１またはリベットや接着テープや接着材などのその他の取付手段で固定される。
ＬＥＤランプ取付具１００は、フランジ１０４においてネジ、リベット、接着テープ、接着剤などの取付手段により器具本体３００の平面部３０２に固定される。
そして、コネクタ３３０をＬＥＤランプ取付具１００から透孔１０６を通して外出しにし、ピン式の口金２０５をコネクタ３３０にはめ込むことでＬＥＤランプ２００の電気的な接続を容易に行うことができる。
【００１４】
また、ピン式の口金２０５をはめ込んだコネクタ３３０を透孔１０６に挿通させると共に係止片２０８をだるま孔１０８に挿通させた後、図６に示すように、ＬＥＤランプ２００を回転させることで、ＬＥＤランプ２００の係止片２０８がＬＥＤランプ取付具１００のだるま孔１０８と係止板７００に係止する。これにより、ＬＥＤランプ２００の機械的な接続を容易に行うことができる。
【００１５】
ＬＥＤランプ２００を回転させたとき、ＬＥＤランプ２００の係止片２０８はＬＥＤランプ取付具１００に取り付けられた係止板７００に図７に示すように係止される。
まず、係止片２０８が係止板７００の方向に移動する（図７上図ａ）。
次に、係止片２０８が係止板７００の傾斜部７０２の傾斜に沿って係止面７０１に誘導される（図７中図ｂ）。
そして、係止片２０８は係止板７００の平面部７０７を通り凹部７０３に係止する（図７下図ｃ）。
係止板７００は平面部７０７と凹部７０３とが形成する段差７０８により係止片２０８を保持することができる。つまり、係止板７００は係止片２０８が逆回転して係止板７００から外れることを防止することができる。
【００１６】
また、係止板７００は弾性部材で成形し、ＬＥＤランプ２００の係止片２０８を弾性作用により上方へ持ち上げる。つまり、係止板７００はＬＥＤランプ２００の基板２０２をＬＥＤランプ取付具１００の平面部１０２に引き付け、ＬＥＤランプ２００とＬＥＤランプ取付具１００との密着性を高める。
【００１７】
そして、係止片２０８を係止板７００に係止してＬＥＤランプ２００をＬＥＤランプ取付具１００に取り付けることにより、図１に示すように、ＬＥＤランプ２００の基板２０２の口金２０５側の面がＬＥＤランプ取付具１００の外側から平面部１０２に接触する。基板２０２と平面部１０２との接触部分を接触部１０３とする。
【００１８】
このとき、ＬＥＤ２０３から発生した熱が接触部１０３において基板２０２からＬＥＤランプ取付具１００の平面部１０２に熱伝導し、平面部１０２に移動した熱は側面部１０１およびフランジ１０４に熱伝導し、フランジ１０４に移動した熱は器具本体３００に熱伝導する。
【００１９】
ＬＥＤ２０３で発生しＬＥＤランプ取付具１００および器具本体３００に伝導した熱は、器具本体３００の側面部３０１や平面部３０２、ＬＥＤランプ取付具１００の側面部１０１や平面部１０２から熱放射し、また、対流して器具本体３００およびＬＥＤランプ取付具１００の内側と外側とで空気中に放散する。
また、ＬＥＤ２０３で発生した熱は基板２０２においても熱放射して空気中に放散する。
【００２０】
実施の形態１における照明器具４００は、ＬＥＤランプ２００の口金２０５以外の部材（基板２０２）とＬＥＤランプ取付具１００とが接触していることによりＬＥＤ２０３で発生した熱を口金２０５以外から熱伝導することができる。これにより、照明器具４００はＬＥＤ２０３で発生した熱をより多く放熱することができる。
また、ＬＥＤランプ取付具１００は側面部１０１を有することで外気に接する面積を広くしているため、ＬＥＤ２０３で発生した熱をより多く放熱することができる。
また、ＬＥＤランプ取付具１００は中空状であるため、ＬＥＤ２０３で発生した熱をＬＥＤランプ取付具１００の外側だけでなく内側へも放熱することができる。
また、ＬＥＤランプ取付具１００は器具本体３００に接することでＬＥＤ２０３で発生した熱を器具本体３００に伝導できるため、ＬＥＤ２０３で発生した熱を器具本体３００からも放熱することができる。
また、ＬＥＤランプ２００はＬＥＤ２０３を配置する基板２０２が平板状を形成することで外気に接する面積を広くしているため、ＬＥＤ２０３で発生した熱をＬＥＤランプ２００自体から効率よく放熱することができる。
また、ＬＥＤランプ取付具１００は弾性部材の係止板７００を有することでＬＥＤランプ２００とＬＥＤランプ取付具１００との密着性を高めているため、ＬＥＤランプ２００からＬＥＤランプ取付具１００への熱伝導性を高めることができる。そして、ＬＥＤランプ取付具１００はＬＥＤランプ２００との熱伝導性を高めることでＬＥＤ２０３で発生した熱に対する放熱効果を高めることができる。
【００２１】
つまり、実施の形態１における照明器具４００は多くの放熱手段を有し、放熱効果を高めているため、ＬＥＤ２０３で発生した熱を効率的に放熱することができ、ＬＥＤランプ２００の温度を十分に下げることができる。
照明器具４００はＬＥＤランプ２００の温度を十分に下げることにより以下のような課題を解決できる。
【００２２】
ＬＥＤ２０３を光源とするＬＥＤランプ２００は白熱電球などの従来の電灯に比べて、消費電力量が少ないことや寿命が長いことなどの長所を有するが、以下のような理由により熱に弱いという短所も有する。
各ＬＥＤ２０３は、例えば、１００ｍｍ（ミリメートル）角の基板に１０〜１００個程度の素子を配置して作られる。これら素子の一つ一つは０．１ｍｍ〜０．３ｍｍ角と非常に小さいため、発熱量が小さくても単位面積当たりの発熱量が非常に大きなものとなる。このため、６０Ｗ（ワット）の白熱電球の口金が１７０度程度の温度まで耐えられるのに対し、ＬＥＤランプ２００は６０度程度までの温度にしか耐えられない。
【００２３】
実施の形態１における照明器具４００はＬＥＤランプ２００の温度を十分に下げることができるため、温度の上昇によるＬＥＤランプ２００の故障の防止を図ることができる。
【００２４】
実施の形態１における照明器具４００はＬＥＤ２０３で発生した熱をＬＥＤランプ取付具１００と器具本体３００に熱伝導して放熱するため、ＬＥＤランプ２００の基板２０２、ＬＥＤランプ取付具１００の平面部１０２や側面部１０１やフランジ１０４、器具本体３００の平面部３０２や側面部３０１などには熱伝導性の高い部材を用いることが望ましい。例えば、ＬＥＤランプ２００の基板２０２、ＬＥＤランプ取付具１００の平面部１０２や側面部１０１やフランジ１０４、器具本体３００の平面部３０２や側面部３０１は金属製であるとよい。
【００２５】
また、熱伝導性を高めるためにはＬＥＤランプ２００とＬＥＤランプ取付具１００との密着性を高めるとよい。
そこで、ＬＥＤランプ２００とＬＥＤランプ取付具１００との少なくともいずれかにおいて接触部１０３に熱伝導性の高い弾性部材を有するとよい。弾性部材は基板２０２と同様な形状であると共に中央部に透孔１０６と同様な形状の孔を有する。例えば、基板２０２と透孔１０６とが円形であれば弾性部材はリング形、ドーナツ形である。
また、熱伝導性の高い弾性部材とは、例えば、シリコンパッドである。
【００２６】
また、ＬＥＤランプ取付具１００の平面部１０２を図８に示すように下側（ＬＥＤランプ取付具１００の外側）に凸形状、山状に隆起させてＬＥＤランプ２００とＬＥＤランプ取付具１００との密着性を高めてもよい。このとき、平面部１０２の隆起した方から押力を加えた場合に平らに形状を変えるように平面部１０２には弾性を持たせる。そして、ＬＥＤランプ２００を回転させて図１に示すようにソケット３２０に取り付ける。このとき、ＬＥＤランプ２００から押力を受けて平らに形状を変えたＬＥＤランプ取付具１００の平面部１０２には山状に復元しようとするＬＥＤランプ２００方向への力が働くため、ＬＥＤランプ２００とＬＥＤランプ取付具１００との接触をより良くすることができる。
図８は、実施の形態１における山状に隆起させた平面部１０２を有するＬＥＤランプ取付具１００の断面図である。
【００２７】
また、ＬＥＤランプ２００からＬＥＤランプ取付具１００と器具本体３００に効率よく熱を伝導するため、ＬＥＤランプ２００の基板２０２とＬＥＤランプ取付具１００の平面部１０２との接触部１０３の面積、ＬＥＤランプ取付具１００が器具本体３００に接するフランジ１０４の面積は広いほうがよい。
また、ＬＥＤランプ取付具１００と器具本体３００とから効率よく熱を放射、対流するため、ＬＥＤランプ取付具１００と器具本体３００の表面積は広いほうがよい。
【００２８】
また、図９に示すように、ＬＥＤランプ２００に側面部２０４を有することで外気に接する面積を増やし、ＬＥＤランプ２００自体からの放熱効果を高めてもよい。
図９は、実施の形態１における照明器具４００の断面図である。
側面部２０４は基板２０２の端部側に位置し基板２０２の端部に沿って形成し、基板２０２と側面部２０４とで一端が開口した筒形を形成する。つまり、側面部２０４の断面は基板２０２と同様な形状であり、例えば、基板２０２が円形であれば側面部２０４は円筒形である。
【００２９】
実施の形態１において以下のような照明器具について説明した。
実施の形態１における照明器具４００は、平板状で、片面にＬＥＤ２０３を実装し、中央部に電気を給電するためのコネクタ（ピン式の口金２０５）を備え、周縁部に複数の係止片２０８を設けたＬＥＤランプ２００と、一端が開放した円筒状で他端平面の中央に透孔１０６を備え、この透孔１０６の周囲に複数のだるま孔１０８を形成するとともにこのだるま孔１０８の内側平面部にＺ字形状で一端が開放したスリット７０６を有する弾性体の係止部（係止板７００）を固定したＬＥＤランプ取付具１００とを備える。
【００３０】
また、ＬＥＤランプを回転させる取り付け動作により係止片２０８が係止される照明器具４００について説明した。
【００３１】
また、Ｚ字形状の係止部がＬＥＤランプの脱落防止のために段差（凹部７０３）を形成する照明器具４００について説明した。
【００３２】
また、透孔１０６部分に位置するソケット３２０との反対側に位置しリング状で熱伝導性の弾性部材を配置した照明器具４００について説明した。
【００３３】
また、透孔１０６を形成したＬＥＤランプ取付具１００の平面部１０２が外側に凸である照明器具４００について説明した。
【００３４】
実施の形態１における照明器具４００はＬＥＤ２０３以外の光源に対しても放熱効果を得ることができる。
また上記では、ＬＥＤランプ取付具１００と器具本体３００とを円筒形、ＬＥＤランプ２００を円形としたが他の形状であっても構わない。例えば、角筒形、矩形、その他の多角形でも構わない。
【００３５】
また、図１０に示すように、係止板７００はスリット７０６を有していなくてもよい。例えば、ＬＥＤランプ２００の係止片２０８を図１１に示すようなＬ字型にすれば、スリット７０６が無くても係止片２０８を係止板７００に係止することができる。
図１０は、実施の形態１におけるスリット７０６を有さない係止板７００の斜視図である。
図１１は、実施の形態１におけるＬ字型の係止片２０８を有するＬＥＤランプ２００の斜視図である。
【００３６】
図１２は、実施の形態１における係止板７００をリベット１１０で取り付ける場合の係止部分の断面図である。
また、ＬＥＤランプ取付具１００の平面部１０２に対して係止板７００をリベット１１０で取り付ける場合、図１２に示すように、平面部１０２に凹部１０９を設けて、リベット１１０の頭部が出っ張らないようにするとよい。
【００３７】
実施の形態２．
前記実施の形態１ではＬＥＤランプ２００を回転させてＬＥＤランプ取付具１００に係止する形態を説明したが、実施の形態２ではＬＥＤランプ２００を直線状に移動させてＬＥＤランプ取付具１００に係止する形態を説明する。
以下、前記実施の形態１と異なる事項について説明し、説明しない事項については前記実施の形態１と同様であるものとする。
【００３８】
図１３は、実施の形態２におけるＬＥＤランプ取付具１００の内部を見せる構成図である。
図１４は、実施の形態２におけるＬＥＤランプ２００を取り付ける際の照明器具４００の断面図である。
図１３は前記実施の形態１の図２に対応する図であり、図１４は前記実施の形態１の図６に対応する図である。
【００３９】
実施の形態２におけるＬＥＤランプ取付具１００は、図１３に示すように、２つのだるま孔１０８と係止板７００とを透孔１０６を挟んで直線方向に配置する。また、各だるま孔１０８は直線方向の同じ向きに大径部と小径部とを位置させる。つまり、各だるま孔１０８は図１３における左側に大径部を位置させ、図１３における右側に小径部を位置させる。
また、実施の形態２では、図１４に示すように、ＬＥＤランプ２００をＡ方向へ直線状に移動させることでＬＥＤランプ２００の係止片２０８がＬＥＤランプ取付具１００のだるま孔１０８と係止板７００とに係止する。つまり、ＬＥＤランプ２００の機械的な接続を容易に行うことができる。
また、２つのだるま孔１０８と係止板７００とは透孔１０６を挟んで平行に配置してもよいし、だるま孔１０８と係止板７００とは複数でなく１つでもよい。
【００４０】
実施の形態２では、ＬＥＤランプ２００の直線的な取り付け動作により係止片２０８が係止される照明器具４００について説明した。
【００４１】
実施の形態３．
実施の形態３では、各実施の形態の放熱効果をさらに高める形態について説明する。
以下、実施の形態３における照明器具４００について、前記実施の形態１と異なる事項を説明し、その他の事項は前記実施の形態１と同様であるものとする。
【００４２】
図１５は、実施の形態２における補助体６００を取り付ける前の照明器具４００の断面図である。
図１６は、実施の形態２における補助体６００を取り付けた後の照明器具４００の断面図である。
実施の形態２における照明器具４００について図１５に基づいて以下に説明する。
ＬＥＤランプ２００からＬＥＤランプ取付具１００への熱伝導性を高めるにはＬＥＤランプ２００とＬＥＤランプ取付具１００との密着性を高めるとよい。
【００４３】
そこで、照明器具４００は外側からＬＥＤランプ２００をＬＥＤランプ取付具１００の平面部１０２に押圧する補助体６００を有することでＬＥＤランプ２００とＬＥＤランプ取付具１００との密着性を高めてもよい。
【００４４】
図１５において、補助体６００は側面部６０１と平面部６０２とを有し、ＬＥＤランプ取付具１００と同様に、一端が開放した中空円筒状を形成する。
側面部６０１は両端が開放し円筒形、パイプ形を形成する。また、側面部６０１はらせん状の溝を形成するネジ切り部６０７を有する。
平面部６０２は円盤形を形成し、側面部６０１の開放した一端側において側面部６０１の開放端を閉じるように位置する。また、平面部６０２は中央部に透孔６０６を有し、輪形、ドーナツ形を形成する。
また、補助体６００はＬＥＤランプ取付具１００よりひと回り大きく、ＬＥＤランプ取付具１００に被せることができる。そして、ＬＥＤランプ取付具１００に被せたとき、補助体６００はＬＥＤランプ取付具１００の側面部１０１を側面部６０１に内接する。
【００４５】
また、ＬＥＤランプ取付具１００は側面部１０１にらせん状の溝を形成するネジ切り部１０７を有する。ＬＥＤランプ取付具１００のネジ切り部１０７は補助体６００のネジ切り部６０７と対になる。
【００４６】
補助体６００はＬＥＤランプ取付具１００に被せて回転させることにより、図１６に示すようにＬＥＤランプ２００の周縁（周端部）を覆うようにしてＬＥＤランプ取付具１００と機械的に結合する。このとき、補助体６００は、図１６に示すように、平面部６０２の透孔６０６側の端部でＬＥＤランプ２００の基板２０２の周縁に接してＬＥＤランプ２００の基板２０２をＬＥＤランプ取付具１００の平面部１０２に押圧する。
これにより、補助体６００はＬＥＤランプ２００とＬＥＤランプ取付具１００との密着性を高めることができ、ＬＥＤランプ２００に対する放熱効果を高めることができる。
また、補助体６００の平面部６０２がＬＥＤランプ２００の基板２０２との接触部分から熱伝導し熱放射することにより、ＬＥＤランプ２００に対する放熱効果を高めることができる。
【００４７】
実施の形態３では、補助体６００を有してＬＥＤランプ２００とＬＥＤランプ取付具１００との密着性を高めることにより、ＬＥＤランプ２００からＬＥＤランプ取付具１００への熱伝導性を高め、ＬＥＤランプ２００からＬＥＤランプ取付具１００への熱伝導性を高めることによりＬＥＤランプ２００に対する放熱効果を高める照明器具４００について説明した。
【００４８】
実施の形態４．
実施の形態４では、ＬＥＤランプ２００の落下を防止する形態について説明する。
以下、実施の形態４における照明器具４００について、前記実施の形態１と異なる事項を説明し、その他の事項は前記実施の形態１と同様であるものとする。
【００４９】
図１７は、実施の形態４におけるＬＥＤランプ取付具１００の斜視図である。
図１８は、実施の形態４におけるＬＥＤランプ２００の斜視図である。
図１９は、実施の形態４におけるＬＥＤランプ２００を取り付け後の照明器具４００の断面図である。
実施の形態４の照明器具４００について図１７〜図１９に基づいて以下に説明する。
【００５０】
図１７に示すように、ＬＥＤランプ取付具１００は平面部１０２において透孔１０６の周囲から外側に突出する一対の補助金具５００（支持片）を有する。補助金具５００は断面をＺ字状に形成し、全体の長手方向を円弧状に形成する。円弧状の補助金具５００は透孔１０６に沿って配置される。このとき、補助金具５００はＬＥＤランプ２００がソケット３２０に取り付けられた際の基板２０２の外側に位置する。また、補助金具５００は一片を平面部１０２に固定し、もう一片をＬＥＤランプ２００がソケット３２０に取り付けられた際の基板２０２の周縁に重なる程度まで透孔１０６の方向に伸長してＬＥＤランプ２００の脱落を防止する。
図１８に示すように、ＬＥＤランプ２００は少なくとも基板２０２の１箇所にＬＥＤランプ取付具１００の補助金具５００に合った形状の切り欠き部２０７を有する。
【００５１】
そして、ＬＥＤランプ２００のソケット３２０への接続は、切り欠き部２０７を利用して基板２０２をＬＥＤランプ取付具１００の補助金具５００にはめ込むと共に、係止片２０８をＬＥＤランプ取付具１００の係止板７００に係止することで行う。図１９にＬＥＤランプ２００を取り付け後の照明器具４００の断面図を示す。
【００５２】
照明器具４００はＬＥＤランプ取付具１００に補助金具５００を有することによりＬＥＤランプ２００の落下を防止することができる。
【００５３】
実施の形態４では以下のような照明器具について説明した。
平面部１０２の中央部に形成された透孔１０６の外側に位置し、断面がＺ字状でＬＥＤランプの基板外形より外側に取付られるとともに、他端が基板外形より内側になるように配置した１対の保持金具（補助金具５００）を有するＬＥＤランプ取付具１００と、ＬＥＤランプの基板２０２の周縁の一部を保持金具（補助金具５００）とほぼ同形状に切り欠いたＬＥＤランプとを備えた照明器具４００。
【図面の簡単な説明】
【００５４】
【図１】実施の形態１におけるＬＥＤランプ２００を取り付けた後の照明器具４００の断面図。
【図２】実施の形態１におけるＬＥＤランプ取付具１００の内部を見せる構成図。
【図３】実施の形態１における係止板７００の斜視図。
【図４】実施の形態１におけるＬＥＤランプ２００の斜視図。
【図５】実施の形態１におけるＬＥＤランプ２００を取り付ける前の照明器具４００の断面図。
【図６】実施の形態１におけるＬＥＤランプ２００を取り付ける際の照明器具４００の断面図。
【図７】実施の形態１におけるＬＥＤランプ２００を取り付ける際の係止部分の断面図。
【図８】実施の形態１における山状に隆起させた平面部１０２を有するＬＥＤランプ取付具１００の断面図。
【図９】実施の形態１における照明器具４００の断面図。
【図１０】実施の形態１におけるスリット７０６を有さない係止板７００の斜視図。
【図１１】実施の形態１におけるＬ字型の係止片２０８を有するＬＥＤランプ２００の斜視図。
【図１２】実施の形態１における係止板７００をリベット１１０で取り付ける場合の係止部分の断面図。
【図１３】実施の形態２におけるＬＥＤランプ取付具１００の内部を見せる構成図。
【図１４】実施の形態２におけるＬＥＤランプ２００を取り付ける際の照明器具４００の断面図。
【図１５】実施の形態３における補助体６００を取り付ける前の照明器具４００の断面図。
【図１６】実施の形態３における補助体６００を取り付けた後の照明器具４００の断面図。
【図１７】実施の形態４におけるＬＥＤランプ取付具１００の斜視図。
【図１８】実施の形態４におけるＬＥＤランプ２００の斜視図。
【図１９】実施の形態４におけるＬＥＤランプ２００を取り付け後の照明器具４００の断面図。
【符号の説明】
【００５５】
１００  ＬＥＤランプ取付具、１０１  側面部、１０２  平面部、１０３  接触部、１０４  フランジ、１０６  透孔、１０７  ネジ切り部、１０８  だるま孔、１０９  凹部、１１０  リベット、２００  ＬＥＤランプ、２０２  基板、２０３  ＬＥＤ、２０４  側面部、２０５  口金、２０７  切り欠き部、２０８  係止片、３００  器具本体、３０１  側面部、３０２  平面部、３０３  取付部、３０４  透孔、３０５  電気コード、３１０  器具取り付け板、３１１  ネジ、３２０  ソケット、３３０  コネクタ、４００  照明器具、５００  補助金具、６００  補助体、６０１  側面部、６０２  平面部、６０６  透孔、６０７  ネジ切り部、７００  係止板、７０１  係止面、７０２  傾斜部、７０３  凹部、７０４  縦面、７０５  結合面、７０６  スリット、７０７  平面部、７０８  段差。
【図１】
0004528277.tif 000002
【図２】
0004528277.tif 000003
【図３】
0004528277.tif 000004
【図４】
0004528277.tif 000005
【図５】
0004528277.tif 000006
【図６】
0004528277.tif 000007
【図７】
0004528277.tif 000008
【図８】
0004528277.tif 000009
【図９】
0004528277.tif 000010
【図１０】
0004528277.tif 000011
【図１１】
0004528277.tif 000012
【図１２】
0004528277.tif 000013
【図１３】
0004528277.tif 000014
【図１４】
0004528277.tif 000015
【図１５】
0004528277.tif 000016
【図１６】
0004528277.tif 000017
【図１７】
0004528277.tif 000018
【図１８】
0004528277.tif 000019
【図１９】
0004528277.tif 000020